(57)【要約】      （修正有）【課題】指先部分においても、繊細な感覚が指先に伝わってくるような、組立用として好適な手袋を提供する。【解決手段】手袋Ａは、各指５が独立した５本指形の形態の手袋において、該手袋Ａの手の指先部分の掌側を覆うパーツ１が、指５の掌側の部分から側面部分５Ｂ，５Ｃ及び先端５Ｔまで覆うような大きさに延設され、この手袋の指先部分の先端の縫合線Ｘが、手の指の爪先部分６とその下方に離れて位置する皮膚部分５ｔとの隙間に位置するように、構成した。【選択図】図１
2010270421.tif 000002
【特許請求の範囲】
【請求項１】
各指が独立した５本指形の形態の手袋において、
該手袋の少なくとも人差し指の指先部分の掌側を覆うパーツが、指先の掌側の部分から側面部分及び先端部分まで覆うような大きさに延設され、手袋をはめた状態で、この手袋の指先部分の先端の縫合線が、手の指の爪先部分又はその近傍に略位置するように、構成したことを特徴とする手袋。
【請求項２】
前記掌側を覆うパーツが本革又は人工皮革あるいは合皮で構成されており、この本革又は人工皮革あるいは合皮が当該本革又は人工皮革あるいは合皮を介して０．１ｍｍ程度〜０．３ｍｍ程度の凹凸を感じることができる程度に薄いものであることを特徴とする請求項１記載の手袋。
【請求項３】
前記手袋の、手の甲側を覆うパーツを前記掌側を覆うパーツを補う形態の一枚又はそれ以上の数のシート状のもので構成したことを特徴とする請求項１又は２記載の手袋。
【請求項４】
前記掌側を覆うパーツを牛革で構成し、前記手の甲側を覆うパーツを、変形性に富んだ布地で構成したことを特徴とする請求項１〜３のいずれか１の項に記載の手袋。
【請求項５】
前記少なくとも人差し指が、５本の指であり、
前記縫合線が、手の指の爪先部分とその下方に離れて位置する皮膚部分との隙間に位置あるいは略位置できるように、構成したことを特徴とする請求項１〜４のいずれか１の項に記載の手袋。
【発明の詳細な説明】
【技術分野】
【０００１】
本発明は、手袋に関し、特に、指先の感触に優れた構成の作業用等の手袋に関する。
【背景技術】
【０００２】
従来より、各手袋メーカにより、レスキュー用等の特殊な分野の手袋から、極く一般的な軍手と呼ばれる手袋まで、その用途に合わせて種々提供されている。
【０００３】
このような手袋のうちで、精密機械の組立て等や電気工事（電工）用等として、素手に近い感覚が得られるもので、素材の厚みが薄い牛皮等の本革を素材とした作業用手袋（以下、単に組立用手袋という）がある（特許文献１）。
【先行技術文献】
【特許文献】
【０００４】
【特許文献１】特許公開２００３−３４２８１３号公報。
【発明の概要】
【発明が解決しようとする課題】
【０００５】
前記組立用手袋の場合、その用途から、細かい作業をおこなったりするため、素手に近い感覚、特に指先の腹や先端面部分が感覚的に繊細なもの、即ち知覚性に優れたものであることが要求される。
【０００６】
しかしながら、かかる組立用手袋のパーツとその縫合部位は、指先部分を含めてその他の部位も、他の手袋と余り変わるところはない。
つまり、かかる手袋の指先部分は、図７，図８に示す指の掌側を覆う第１のパーツ１１と、指の甲側を覆う第２のパーツ１２とを、指の両側面を覆う第３及び第４のパーツ１３，１４を介して縫着して袋状の形態にしている。そして、指先部分２１は、前記第１のパーツ１１と第２のパーツ１２が直接あるいは略直接縫合され、その縫合部分に存在する縫合線Ｘ１は指の先端面部分に位置している。
【０００７】
かかる組立用手袋をはめて作業をおこなうと、指先で細かい作業をすると、前記縫合部分が当たって、手の指先には細かい感覚は伝わって来ない。
【０００８】
本発明は、このような状況の下におこなわれたもので、繊細な感覚が指先に伝わってくるような、組立用等の手袋を提供することを目的とする。
【課題を解決するための手段】
【０００９】
前記課題を解決するべく、本発明にかかる手袋は、各指が独立した５本指形の形態の手袋において、
該手袋の少なくとも人差し指の指先部分の掌側を覆うパーツが、指先の掌側の部分から側面部分及び先端部分まで覆うような大きさに延設され、手袋をはめた状態で、この手袋の指先部分の先端の縫合線が、手の指の爪先部分又はその近傍に略位置するように、構成したことを特徴とする。
【００１０】
このように構成された手袋によると、手の指で最も感覚に優れた指の所謂「腹部分」の先端部分が前記パーツの厚みのみを介して、物等と接触するため、つまり縫合線を介して物と接触しないため、組立等に際してその対象となる物の表面の凹凸等の状態を、極めて敏感に感受することができる手袋となる。
【００１１】
また、前記手袋において、前記掌側を覆うパーツが牛革、鹿革若しくは羊革等の本革又は人工皮革若しくは合皮（本革等という）であり、この本革等が当該本革等を介して０．１ｍｍ程度の凹凸を感じることができる程度に薄いものであると、指先部分において繊細な感覚が指先に伝わってくる手袋となり、また、耐久性に優れた手袋となる。前記掌側を覆うパーツが本革であると、精密機械の組立用あるいはバイク用手袋として好適であり、人工皮革あるいは合皮の場合には電工用手袋として好適である。
【００１２】
また、前記手袋において、手袋の、手の甲側を覆うパーツを、前記掌側を覆うパーツを補う形態の一枚又はそれ以上の数のシート状のもので構成すると、縫製が容易な手袋となる。
【００１３】
さらに、前記手袋において、前記掌側を覆うパーツを牛革で構成し、前記手の甲側を覆うパーツを、変形性に富んだ布地で構成すると、手を握った状態においても、手袋の手の甲側を覆うパーツの素材の剛性や弾性に起因して生じる、反力を無くすることが可能で、且つ通気性にも富んだ手袋となる。特に、組立用手袋の場合には、その用途からして、手の甲部分が物に接して汚れる等のことはないことからも、好ましい構成となる。
【００１４】
さらに、前記手袋において、前記少なくとも人差し指が、５本の指であり、
前記縫合線が、手の指の爪先部分とその下方に離れて位置する皮膚部分との隙間に位置あるいは略位置できるように、構成されていると、さらに繊細な感覚が指先に伝わってくる手袋となる。
【発明の効果】
【００１５】
前述のように構成された本発明にかかる手袋によると、指先部分においても、繊細な感覚が指先に伝わってくるような、組立用手袋となる。
【図面の簡単な説明】
【００１６】
【図１】本発明の１つの実施例にかかる手袋の指先部分の構成を示す甲側斜め上方から見た斜視図である。
【図２】図１に示す手袋の指先部分を対応する手の指先部分にはめて略上方から見た平面図である。
【図３】図１，図２に示す手袋の指先部分にはめる手の指先部分を示す図２と略同じ方向から見た平面図である。
【図４】図１，図２に示す手袋の指先部分（二点鎖線で示す）をそれに対応する手の指先部分（実線で示す）にはめた状態での両者の位置関係を示す側面図である。
【図５】図１，図２に示す指先部分を具備した手袋全体の手の甲側を斜め上方から見た斜視図である。
【図６】図５に示す手袋の掌側から見た斜視図である。
【図７】従来の手袋の指先部分の構成を示す掌側の部分を一方側の斜め上方から見た斜視図である。
【図８】図７に示す指先部分を手袋の指先部分を側方から見た図である。
【発明を実施するための最良の形態】
【００１７】
［実施例］
以下、本発明の実施例にかかる手袋を図面を参照しながら具体的に説明する。
【００１８】
図１，図２において、１は手袋Ａの手の指先部分を覆うパーツで、このパーツ１の掌側のパーツ１Ａは、図３に示す指５の、長手方向へは基端側（掌側）の部分５Ａから指先の先端５Ｔを覆うよう指の甲側まで延設され、また幅方向へは、該指５の掌側から側面５Ｂ，５Ｃを覆うよう指の甲側まで延設された、大きさに形成されている。そして、前記指先部分を覆うパーツ１の手の甲側のパーツ１Ｂは、手の指先部分を袋状に覆うのに、前記掌側のパーツ１Ａを補完するような大きさ、つまり、図３に示す手の指５の平面視において、手の甲の縁部５ｅを除いた部分に対応するような大きさに構成されている。つまり、前記甲側のパーツ１Ｂは、図３に示す指５の縁５ｃから若干内側に入った部位までの縁部５ｅを除いた、指の平面視における中央側の部位を覆うような大きさに構成されている。
【００１９】
この実施例の場合、前記掌側のパーツ１Ａは、厚み的に薄い、本革である天然の牛革の素材で構成されている。しかし、牛革以外にも、本革である羊革や鹿革を使用してもよい。この実施例の場合、具体的には、前記牛革の薄さは、この牛革を介して物に触れたとき、０．１ｍｍ程度の凹凸を感じることができる程度に薄いものを使用している。かかる薄さにすると、精密機械等を組立てる際にも、部品表面等の微妙な凹凸や表面に付着した溶接のスパッタ等の取り残しも指先の腹等で知覚することができる。しかし、前記素材の薄さに関しては、用途によっては０．１ｍｍ程度以上であってもよく、例えば、バイク（自転車も含む）用手袋としては、０．３ｍｍ程度であってもよく、また、電工用の手袋の場合には、例えば０．１ｍｍ〜０．３ｍｍ程度であってもよい。また、前記電工用手袋の場合には、素材として、牛革に代えて、人工皮革あるいは合皮、特に導電性のない人工皮革や合皮を使用することが好ましい。
一方、前記甲側のパーツ１Ｂは、伸縮性のある布地（この実施例では伸縮性のある糸を用いたあぜ編みからなるニット地）で構成されている。
【００２０】
そして、前記掌側のパーツ１Ａと甲側のパーツ１Ｂは、図１，図２に図示するように、袋状に縫製されるが、この際、先端部がラウンド状になった指先部分では、該掌側のパーツ１Ａを手の甲側に「絞り上げる」ような状態で縫製する。この「絞り上げる」ような状態とは、背広の肩部分の縫着部分のような立体的な部分を平面状の素材で縫製して三次元の形態を形成した状態をいう。
【００２１】
そして、このように縫合された前記掌側のパーツ１Ａと手の甲側のパーツ１Ｂの縫合線Ｘは、図４に図示するように、指５の爪先部分６とその下方に離れて位置する皮膚部分５ｔとの間の隙間Ｓに位置するようになっている。
【００２２】
従って、かかる構成の手袋Ａをはめた状態では、手の指の所謂腹部分Ｇ（図４参照）から指先の先端５Ｔにかけて段差の無い状態で１枚の薄い牛革からなるパーツ１Ａで覆われることから、また、前記縫合線Ｘが前記隙間Ｓに収容された状態となることから、手袋Ａが指先部分で非常にフィットした状態ではめられることから、極めて繊細な感覚が指先に伝わってくるような状況となる。
【００２３】
そして、この手袋Ａは、図５，図６に図示するように、全ての指先部分１について前述したように構成されている。
【００２４】
また、この実施例では、図５，図６に示すように、手袋Ａの全体にわたって、前記パーツ１Ａを含む全ての掌側のパーツが、手の甲側側にまで回り込むように延設されており、その分、手の甲側のパーツ１Ｂは、指の平面視される大きさより小さく構成されている。
なお、図５，図６に示すように、この手袋Ａにおいて、７は太幅のゴムテープ布地からなる袖部分を示す。
【００２５】
そして、前述のように構成された本発明にかかる手袋Ａは、各指先部分が前述のように構成されているため、かかる手袋Ａをはめると、手の最も繊細な感覚を有する指先が前記パーツ１Ａの厚みだけ隔てて組立等する部材と接触するため、凹凸の感覚や溶接によるスパッタの取り残し等が指先で敏感に捉えられる。
【００２６】
しかも、かかる手袋Ａが少ないパーツで構成されて、非常にシンプルになることから、また、縫合箇所及び縫合長さが少なくなることから、製造が容易となる。また、前記パーツ１Ｂの性状に起因して、指等の関節部分の動きがスムーズにおこなえる等の作用効果も奏する。
【００２７】
ところで、前記実施例では、前記パーツ１Ａとして、牛革を使用しているが、鹿革を使用してもよく、あるいは、豚革や羊革等他の種類の革を使用してもよい。いずれにしても、天然皮革のように、ある程度の収縮性を備えた素材であることが好ましい構成となる。
また、前記パーツ１Ｂに関しては、伸縮性に富んだ素材であることが、前記パーツ１Ａの薄さと相まって、前記縫合線Ｘを指の爪とその下方の皮膚との間の隙間Ｓに位置させ得る点で好ましい構成となるが、前記ニット地の他に、織地であってもよいことは言うままでもない。また、かかるパーツ１Ｂは、必ずしも伸縮性に富んだ素材でなくとも、薄い素材であればよい。また、編み密度や織密度を粗くすることによって、通気性を向上させることができる。
【００２８】
従って、その手袋の用途によって、前記パーツ１Ａ，１Ｂの素材を選択すればよい。
【００２９】
また、前記実施例では、手袋の全ての指（５指）が前述のように構成されているが、手袋の一部の指、例えば、最も物にさわる頻度の高い手袋の人差し指だけを前述の如く構成してもよく、あるいは人差し指と親指だけ、あるいはその他一部の指のみを前述の如く構成してもよい。
前記実施例は本発明の単なる１の実施形態を示す例示であって、本発明の技術的思想を逸脱しない範囲において、適宜構成および条件等を変更して、実施することができることは言うまでもない。
【産業上の利用可能性】
【００３０】
本発明にかかる手袋は、精密機械の組立等に利用することができる。
【符号の説明】
【００３１】
Ａ…手袋
１…指先部分を覆うパーツ
１Ａ…掌側のパーツ
１Ｂ…手の甲側のパーツ
５…指
５Ａ…指の基端側の部分
５Ｂ，５Ｃ…指の側面
５Ｔ…指の先端
６…爪先部分
５ｔ…爪先部分の下方の皮膚部分
Ｘ…縫合線
Ｓ…隙間
【図１】
2010270421.tif 000003
【図２】
2010270421.tif 000004
【図３】
2010270421.tif 000005
【図４】
2010270421.tif 000006
【図５】
2010270421.tif 000007
【図６】
2010270421.tif 000008
【図７】
2010270421.tif 000009
【図８】
2010270421.tif 000010